(57)【要約】【課題】頭皮マッサージは、頭髪と頭皮の健康保全に極めて有用である。しかしネイルアートや付け爪や、爪を伸ばしている人などの爪は水に弱く、これらの爪を保護したいニーズは非常に高い。これらを指腹部に設けた凸形状の突起により、頭皮マッサージと毛嚢内老廃物の除去と排泄を容易にし、また血行を促進する洗髪用手袋を提供する。高齢化社会を迎え、要介護人口が急増し、介護者の手指衛生保全と要介護者の快適な洗髪の社会的ニーズに応えるのが、この度の発明であります。【解決手段】  手袋の指腹部に凸形状の突起（１）を設け、密着部位（２）で指腹部の密着固定により、軽い指の圧力を頭皮に効率的に伝える洗髪ができ、爪袋（３）を設けたことで、爪を保護し爪に圧力をかけずに軽い力で頭皮全体を効率よく洗髪できることを特徴とする。  【選択図】  図１  
2005200820.tif 000002
【特許請求の範囲】
【請求項１】
洗髪時手首部からの水の浸入を防ぐように構成された洗髪用防水手袋において、該手袋の各指先に、アートネイル爪または付け爪を収容保護する収容保護部と、該手袋の複数の指の腹部に、指の圧力を頭皮に効率的に伝える凸形状の突起を形成した指部とで構成され、指の凸形状の突起を形成した指部が、手袋装着時に指に密着固定される洗髪用手袋。
【請求項２】
手袋の生地が伸縮柔軟性素材であって、該手袋の複数の指の腹部で、凸形状の突起を第２関節部より先端部に形成するとともに、指の第２節部より先端部が細く成形されたことを特徴とする請求項１記載の洗髪用手袋。
【請求項３】
複数の指の腹部に指の圧力を頭皮に効率的に伝える凸形状の突起を接着形成、または生地に凹凸加工により形成したことを特徴とする請求項１記載の洗髪用手袋。
【発明の詳細な説明】
【技術分野】
【０００１】
本発明は、美的観点から爪を伸ばしている人や爪が短い人でも、軽い力において頭皮の指圧マッサージ効果と血行促進を容易にし、頭皮毛嚢内の老廃物の排泄と除去をすることで、頭髪の健康を保持する目的を達し、流水も入り込まない長さの洗髪用手袋に関するものである。
【背景技術】
【０００２】
従来市販流通しているゴム手袋は、手荒れや怪我から、手肌を守るための家事炊事用手袋と、染毛用ゴム手袋及び食器洗浄用ゴム手袋は知られていた。滑り止めの突起が付いたゴム手袋または綿素材の作業用手袋もあり、また、それ以外は、手術用、化学薬品取り扱い用など、特殊分野を対象としたもので、一般的にはこれで実用上十分であった。
【０００３】
しかし、近年、美的観点から爪を伸ばす人が増えた。一方、かかる爪をかばうため毛髪の洗髪において指腹部の皮膚を頭皮膚部にこすりつけるのみの洗髪では、フケや痒み等は完全には取り去れない。爪を守る手袋や、頭髪の健康を守る頭皮の指圧マッサージ効果と血行促進を容易にする有効的な手袋は存在しなかった。先行技術（特許文献参照）には爪を保護するもの等はあるが、その全ての特許文献によると、吸液性材料または、メッシュ、網地、粗目生地であると書いてあるため、吸水された水分が爪の保護にはあたらないと思われる。
【０００４】
従来のゴム手袋を洗髪に用いた場合、ネイルアートやマニキュアの長い爪では、素材によっては手袋先端に破損孔があく、接着した人工爪はゴムの圧迫で剥がれ、爪の装飾部分が損壊するなどの不具合が生じ、また、家事炊事用に作られているものは、脱着を容易にする事にこだわり指の周囲部分が太く脱げ易く洗髪はしにくい。しかも指の腹には凹凸がなく、洗髪には不向きである。滑り止めの突起の付いている作業用手袋は、生え際を洗髪中に、手の平（掌）部分の突起部が顔に当たり大変危険であり使用できない。また素材が厚く硬く、しかも手袋の長さが短いので流水が入り込み、やはり洗髪には不向きである。作業用で滑り止めの突起が付いている手袋が綿の場合、洗髪時には防水効果がないばかりでなく、多量の水分を含有し、水分に弱いネイルアートやマニキュアの長い爪、接着した人工爪には適さないという欠点がある。
【０００５】
刺激が不十分で適切でない頭皮マッサージは、まさに不満の感が強い。また頭髪の量と質をいかに保つか、それは老若男女を問わず現代社会における永遠の課題である。頭髪の維持と保全には、いかに毛嚢を清潔に保ち、毛嚢機能を維持活発化するかが、重要なファクターの一つである。理容店において洗髪時丸い硬いプラスチックのブラシで頭皮をこすり洗う店もあるが、これは毛嚢内の老廃物を除去するには当たらず、その場だけの痒みを一時的に押さえるものである。
【０００６】
病院や在宅介護で要介護人（患者）を洗髪する場合、この実務に携わる人たちの感染防止対策や洗髪を受ける側（患者）の頭皮のケアも避けて通る事の出来ない重要事項である。素手の爪での洗髪は、皮膚を傷つけるばかりでなく、時には裂傷すら惹き起こす。また、免疫能の低下した要介護老人（患者）の頭皮等は、易感染性が高まっているので、なんらかの感染症に罹患している場合が多い。これらの要介護人の身体の清潔を保つ為の洗髪は、介護者（介護する側）の素手での洗髪は危険である。介護者を感染から守り、要介護人の安全で爽快感のある洗髪等には、手袋の指腹部に設けた凸形状の機能がきわめて有効的である。
【特許文献１】特開平１０−１６８６２２
【特許文献２】特開平１０−３１７２１４
【特許文献３】実用新案登録第２６０２５３２号
【発明の開示】
【発明が解決しようとする課題】
【０００７】
解決しようとする問題点は、作業用の突起が付いているゴム手袋を洗髪に用いた場合、凹凸部分が手の平（掌）全体についているため、額などの生え際を洗髪するときには、手の平部分の突起部が顔に当たり大変危険であり使用できない。また、ネイルアートやマニキュアの長い爪では、薄い素材によっては爪袋先端に破損孔が開き、水分及び洗剤の影響で爪の装飾部分が損壊する。また、密着した薄手のゴム手袋では接着した人工爪はゴムの圧迫で剥がれる。そして、家事炊事用に作られているものは、脱着を容易にする事にこだわり指部分が太く脱げ易く、しかも手袋指腹部には凸凹がなく洗髪には適していない。また、作業用で滑り止めの突起が付いている手袋が綿の場合、洗髪時には防水効果がないばかりでなく、多量の水分を含有し、水分に弱い爪には適さない。また、作業用で突起が付いているゴム手袋は、滑り止めのみが目的のため素材は厚く硬く手袋の長さは短く、洗髪時の流水が入り込み、水分に弱い爪の装飾部分は損壊してしまう。そして作業用であるため硬い素材によって、爪を圧迫し損壊を招いてしまう点である。従来洗髪は、素手で行うことが一般的である。しかしながら素手での洗髪では、頭皮毛嚢内に経時的に溜まった、角質、皮脂、シャンプー材残渣の老廃物を、除去するには不十分である。毛嚢内蓄積老廃物は、毛嚢機能の健全な維持に有害で、頭髪の育成に支障があり、さらには、脱毛の主たる原因の１つでも有る。爽快感を求めるため、自身の爪を立てての洗髪は頭皮を傷つけフケの原因になるだけで、毛嚢内蓄積老廃物の除去や排泄にはならない。また、長爪の先端が割れ爪であったり、折れ爪であったり剥がれ爪であった場合、洗髪時には爪に髪の毛が引っかかり、非常に洗髪しにくい。  
この改善策として、図１から図７に示されるように、手袋の指腹部に凸形状の突起（１）を設け、伸縮柔軟性素材により密着部位（２）の範囲において指が軽く密着固定されて抜けにくくしたことで、指の動きと一体化し凸形状の部分に伝わった指の力が頭皮に充分に伝わり、しかも爪が圧迫されずにおさまるように設けられた、爪の収容保護部である爪袋（３）を指頭部（指先端）に一体的に設けたことで、軽い力によって頭皮指圧マッサージ効果と、毛嚢内の角質、皮脂、シャンプー剤残渣の老廃物の排泄と除去を容易にした。
【課題を解決するための手段】
【０００８】
本発明は、指を挿入する指用袋部の指腹部に相当する位置に凸形状（１）が複数設けられており、前記指袋部の先端に、一体的に設けられる爪袋（３）を備え、指先から伸びる長い爪を収容し、前記指袋部は伸縮柔軟性素材により、第２関節部より指を軽く密着固定してなり、手袋の全長は流水が入り込まない長さを備えていることを最も主要な特徴とする。
【発明の効果】
【０００９】
本発明の洗髪用手袋は、美的観点から爪を装飾し伸ばしている人や、爪の短い人でも満足のいく洗髪をしたい時に、頭皮マッサージと毛嚢内老廃物の除去と排泄を容易にし、血行を促し頭皮と頭髪の健康を保つ利点がある。
（イ）本実施形態では、指袋部は手のひら側の第３関節から指頭部（指の先端）、あるいは第２関節から指頭部に相当する部位に凸形状の突起（１）を設けた構成である。かかる構成により、頭皮マッサージと毛嚢内老廃物の除去と排泄を容易にし、血行を促し頭皮と頭髪の健康を保つことができる。
（ロ）本実施形態では、指用袋部を指本体に軽く密着固定させる構成である。かかる構成により指の動きと凸形状とが一体化できるため、さらに血行を促し頭皮頭髪の健康を保つことができる。
（ハ）本実施形態では、指用袋部の先端部にさらに爪袋を指袋部と一体的に設けた構成である。かかる構成により指の先端部より長い爪を爪袋におさめることができ、洗髪時にその爪が折たり、傷ついてしまうという不都合を防止することができる。
手袋の指腹部に凸形状の突起を設けることにより、頭皮毛嚢内に経時的に溜まった、角質、皮脂、シャンプー材残渣などの老廃物を除去排泄するには十分であり、さらに凸形状の突起はマッサージ効果と頭皮の血行促進をし、頭髪の健康を保つには有効的である。凸形状の突起をさらに有効的にするために、手袋の指部分は、指を挿入した時、指のみが周囲の伸縮柔軟性素材に軽く密着固定され指の軽い力が凸形状に伝わり、また抜けにくく保持され、しかも爪が圧迫されずに納まる爪袋を指の先端に一体的に設けたことで、装飾爪、長爪を保護しながら洗髪ができる。
短い爪の場合においても、指の先端に一体的に設けた爪袋の先まで指を挿入することで、安定した洗髪の実施を実現した。
【発明を実施するための最良の形態】
【００１０】
以下、本発明を具体化した洗髪用手袋を図１に従って説明する。図１に示されるように、洗髪用手袋は、左右一対の手袋本体よりなる。
手袋本体は、装着時に親指、人差し指、中指、薬指、小指がそれぞれ収められる指用袋部Ａが一体的に取り付けられている。
指用袋部Ａには、手のひら側の第３関節から指頭部（指の先端）、あるいは第２関節から指頭部に相当する部位に凸形状の突起（１）が設けられている。
凸形状を指の動きと一体的に活用するために、指用袋部は伸縮柔軟性素材により、指袋部を指腹部に軽く密着押圧させる。
爪袋（３）は指袋部の先端部に指袋部と一体的に取り付けた。
【００１１】
次に、洗髪用手袋の作用について説明する。
爪を立てず、第３関節あるいは第２関節から指頭部までの手のひら側に取り付けられた凸形状を、マッサージするように頭皮に接触させて使用する。
【実施例１】
【００１２】
本発明は、手袋の指袋部に指を挿入した時、指が周囲の伸縮柔軟性素材によって軽く密着固定保持され、しかも爪が圧迫されずに納まる爪袋（３）を指先端に一体的に設け、指袋部の指腹部に凸形状の突起（１）を設けたことで、頭皮毛嚢内の上記老廃物の排泄と除去、そしてマッサージ効果を目的とし、頭皮頭髪の健康を維持できる。    
【００１３】
伸縮柔軟性素材の使用により手袋の指袋部を周囲から軽く密着固定し、装着時に違和感がなく、かつ脱着が容易なもので、ゴム、合成樹脂、化学繊維、天然素材であり、非透水性または、非透湿性である。手袋の指腹部に設けた凸形状の突起の素材はゴム、合成樹脂、化学繊維、天然素材であり、非透水性または、非透湿性であり、図１に示すように手袋本体と同一素材でも、図６に示したように同一素材の貼り合わせでも、異なった素材の込み合せでもよい。
【００１４】
伸縮柔軟性素材のため、短い爪の場合は、図５に示すように指先端部に設けた爪袋の先まで指を挿入することで、毛嚢内に溜まった角質、皮脂、シャンプー剤残渣の老廃物を排泄除去し、頭皮指圧マッサージをすることで、頭皮の血行を促進し、頭髪の健康を守りながら洗髪ができる。
【００１５】
凸形状の突起の硬度は、硬くてもよく，また軟らかくてもよいが、頭皮マッサージや毛嚢内に溜まった角質、皮脂、シャンプー剤残渣の老廃物を排泄除去するに効果的であることとする。
凸形状の突起の形状は円錐形，頭部がカットされた円錐形，円筒形，球形、半円球形、楕円形、三角錐、頭部カットの三角錐，多角錐、金平糖状、千鳥形、瓢箪形、凹突部で、頭皮マッサージ、毛嚢内の老廃物の排泄と除去が達成される形とする。
凸形状の突起の１粒の大きさは、直径１ｍｍより１０ｍｍの範囲内において上記の目的すなわち、頭皮マッサージ、毛嚢内の老廃物の排泄と除去が達成される大きさを選択する。
凸形状の突起の配列または凸形状の突起の間隙は、密着形、３０ｍｍまでの間隔形、等間隔形、イレギュラー間隔形とする。
凸形状の突起の設置部位は、指の腹部第３関節部から指頭部（指の先端）までの範囲とする。または指の第２関節部から指頭部（指の先端）までの範囲が適切である。
【００１６】
手袋本体は厚地でも、伸縮性があり、装着時に違和感がなく、かつ脱着が容易なもので、ゴム、合成樹脂、化学繊維、天然素材であり、非透水性または、非透湿性であるならば、凹形状を設けるも可能である。凹形状の設置部位は、指袋部の指腹部第３関節部から指頭部（指の先端）までの範囲とする。または指袋部の第２関節部から指頭（指の先端）までの範囲とする。
【００１７】
手袋本体の全長においては、洗髪時に洗浄水、湯、洗剤などの液体成分が手袋を伝って肘方向に流れ手袋内に流入すると、前記に説明した装飾爪の保護にはならず、また不快感があるので、手袋本体の全長は肘関節部より５ｃｍから１０ｃｍ長くする。または、脇下までとし、必要に応じて肘関節を越えた部分を折り返し、洗浄液等が手袋内へ流入することを防止する長さとする。
【実施例２】
【００１８】
この手袋を制作するには、図６に示すように、凹凸形状シート（４）をあとから指袋部の指腹部に接着する方法も可能とする。
【実施例３】
【００１９】
入浴中に洗髪をする人が用いる場合、実施例１実施例２で説明した通り、図７の爪袋（３）と凸形状の突起（１）は図１で示したように、指袋部や爪袋の同部分に設け、洗髪用手袋本体に開けた複数の穴や切り込みによって、洗浄水が手袋内に溜まらず、楽に排泄されるようにし、手袋の長さは短くするも可能である。穴や切込みの大きさは、水分が手袋内から早く排泄される大きさとする。
【図面の簡単な説明】
【００２０】
【図１】手袋の手の平側から見た指用袋部Ａと、凸形状の突起（１）と、指の動きと一体化をする密着固定を示す位置（２）、そして爪袋（３）の概観図である。（実施例１）
【図２】親指と人さし指のみの指袋部と爪袋の部分断面図である。（実施例１）
【図３】親指と人さし指部分のみの概観図で、指袋部と爪袋に設けた凸形状の突起の図である。（実施例１）
【図４】横からの断面図で、手袋内を表現した図である。（実施例１）
【図５】親指と人差し指の指袋部と爪袋の断面図で、短い爪の場合、手袋先端に設けた爪袋まで指を挿入することにより、安定した使用感で洗髪が可能となることを表した図である。（実施例１）
【図６】凹凸形状シートをあとから接着する場合の図である。（実施例２）
【図７】入浴中に使用時、洗浄水が手袋内に溜まらず、排泄される穴、切り込みがあり、長さを短くする図である。（実施例３）
【符号の説明】
【００２１】
（１）凸形状の突起。
（２）密着部位。
（３）爪袋。
（４）凸凹形状シート。
Ａ  指用袋部。
【図１】
2005200820.tif 000003
【図２】
2005200820.tif 000004
【図３】
2005200820.tif 000005
【図４】
2005200820.tif 000006
【図５】
2005200820.tif 000007
【図６】
2005200820.tif 000008
【図７】
2005200820.tif 000009